Podtech/llm-jp-corpus-v4-ja_patent huggingface dataset:
(57)【要約】【課題】高齢者や身体障害者等の杖使用者が、カウンターやテーブル・机等に、杖を容易に保持できる杖を提供する。【解決手段】杖の握り部分の前方部下部に、粘着マットを取り付けたことを特徴とする。【選択図】図２
2008279229.tif 000002
【特許請求の範囲】
【請求項１】
握りと柄からなる杖のいずれかの部分に、粘着マットを取り付けたことを特徴とする。
【請求項２】
前記握りの前方部下部に、粘着マットを取り付けたことを特徴とする請求項１記載の杖。
【発明の詳細な説明】
【技術分野】
【０００１】  本発明は、カウンターやテーブル・机等に、杖使用者が杖を容易に保持できる杖に関するものである。
【背景技術】
【０００２】  従来、杖使用者は、杖を手から離して置く場合、その杖を壁等に立て掛けたり、杖に取り付けた杖ホルダーでカウンターやテーブル・机等に係止したり、カウンターやテーブル・机等に設置された杖ホルダーに挿入していた。
【特許文献】  特開２００４−５７４２２号公報
【発明の開示】
【発明が解決しょうとする課題】
【０００３】そのために、次のような課題があった。
（イ）  壁等に立てかけた場合には、杖の上端が壁面を滑って床面に倒れやすく、またカウンターやテーブル・机等の上に置いた場合、邪魔になり不都合を余儀なくされていた。そして、杖が床面に倒れた場合や落下した場合に、杖使用者は杖を拾う為に身体を屈めなくてはならず、特に身体の弱い杖使用者にとってきわめて厳しい動作を余儀なくされていた。
（ロ）  杖に取り付けて使用する杖ホルダーは、操作が煩雑で、カウンターやテーブル・机等に立て掛けても滑りやすく倒れてしまう。
（ハ）  カウンターやテーブル・机等に設置された杖ホルダーは、数が少なく探すのも苦労で、挿入も煩雑である。
本発明は、以上の課題を解決しようとするものである。
【課題を解決するための手段】
【０００４】  本発明は、上記課題を解決する為に、杖の握りの前方部下部に粘着マットを取り付けたことを特徴とする。
【発明の効果】
【０００５】  本発明は、杖の握りの前方部下部の粘着マットの接着力を利用して、杖を安全・安定にカウンターやテーブル・机等に置くことができるというものである。
【０００６】  従来の杖は、握り前方部が極端に短く、後方部が長いためバランスが悪い。この粘着マット付杖は、握りの前方部が従来の杖より長い為、バランスが良く安定性に優れている為、杖使用者は楽に使用できる。
【０００７】  従来杖をカウンターやテーブル・机等に保持する時は、杖ホルダー等に頼っていたが、杖に装着した杖ホルダーは、操作が煩雑である。また、カウンターやテーブル・机等に設置された杖ホルダーは、数が少なく探すのに苦労し、挿入も煩雑であるが、この粘着マット付杖があれば、上記の不都合がすべて解決できる。
【０００８】  この粘着マット付杖は、杖の握り部分を水平にカウンターやテーブル・机等に置くことが出来、自然な動作で、煩わしさがない。
【０００９】  さらにこの粘着マット付杖は、粘着マットが接着する部分があれば、接着する相手の形状（たとえば円形や凸面）を問わず保持できるため、杖使用者にとってとても便利である。
【発明を実施するための最良の形態】
【００１０】  図１は、杖の握りの前方部（１）の下部に、粘着マット（２）を取り付けた杖の斜視図である。【００１０】  図２は、上記杖の使用時を示す側面図である。本発明は以上のような構造で、これを使用する時は、テーブルや机・カウンター等に、杖の粘着マットを押し付けて、その粘着マットの接着力により杖を容易に安全・安定に保持する。
【産業上の利用可能性】
【００１１】    本発明に係る杖は、工業的に量産することが可能であるため、産業上の利用可能性を有する。
【図面の簡単な説明】
【００１２】
【図１】本発明の杖の斜視図である。
【図２】本発明の杖の使用状態を示す側面図である。
【符号の説明】
【００１３】  １    握り前方部
２    粘着マット
３    カウンター
【図１】
2008279229.tif 000003
【図２】
2008279229.tif 000004
(57)【要約】【課題】ウオレットチェーンが付けられない構造の財布にキズを付けることなくウオレットチェーンを取り付けるためのカード状ウオレットチェーン取り付け具を提供する。【解決手段】方形状カード部材の上部に市販のウオレットチェーンのフックが掛着できる取付孔付き突片を延設したことを特徴とするウオレットチェーン取り付け具。【選択図】図１
2008279224.tif 000002
【特許請求の範囲】
【請求項１】
二つ折りタイプの財布の内ポケット部分に挟み込める大きさに形成されたカード部材に該カード部材を財布の内ポケットに挟み込んだ時、市販のウオレットチェーンのフックが掛着できるように形成された留め具を備えた突片を財布の外に突出するように延設したことを特徴とするウオレットチェーン取り付け具。
【発明の詳細な説明】
【技術分野】
【０００１】本考案は二つ折りタイプの財布に穴を開ける等の細工をする事がなく突片をつける事によってウオレットチェーンのフック掛着部分が財布の外に突出するため、財布を傷つけずに市販のウオレットチェーンを簡単に着脱することが出来る突片部分のついたカード状のウオレットチェーン取り付け具に関するものである。
【背景技術】
【０００２】従来、財布本体に穴を開ける等の細工をしてそこにウオレットチェーンを接続出来る様にしてあるものが売られており盗難防止や若者のファッションとして利用されていた。又、盗難防止具として直接チェーンのついたカード状のものを財布に差し入れて使用するものが実用新案登録されている（特許文献１）。
【特許文献１】実登  ３０７４０５８
【発明の開示】
【発明が解決しようとする課題】
【０００３】そのために次のような問題があった
（イ）    穴を開ける等の細工をして売られている財布は種類、デザインが限られ好みの物を見つけづらかった。
（ロ）    高級財布、ブランド財布、お気に入りの財布にウオレットチェーンをつけるには穴を開ける等の加工をしなければならないが心情的に財布にキズをつけることが出来づらかった。
（ハ）    財布に差し込むチェーンつきのカードでは好みのウオレットチェーンがつけられず又チェーンの取り付け部分とチェーンが財布の中に入り込むために財布にキズが付く恐れがあった。
本考案は以上の問題点を解決するためになされたものである。
【課題を解決するための手段】
【０００４】二つ折りタイプの財布の内ポケット部分に挟み込める大きさに形成されたカード部材に該カード部材を財布の内ポケットに挟み込んだ時市販のウオレットチェーンのフックが掛着できるように形成された留め具を備えた突片を財布の外に突出するように延設したことを特徴とするウオレットチェーン取り付け具である。
【発明の効果】
【０００５】財布にキズを付けることなく財布とウオレットチェーンを簡単に着脱することが出来、盗難予防と共にファッションとして利用することが出来る。
【発明を実施するための最良の形態】
【０００６】以下、本発明の実施の形態を説明する。
（イ）    皮製で方形状カード部材（１）の四角の一箇所に取付孔（３）を穿設した突片（２）を延設する。
（ロ）    カード部材は市販の財布（６）の内ポケット（７）に対応した大きさに形成する。
本発明は以上のような構造で、使用するときには、財布（６）の内ポケット（７）にこれを差し入れる
すると財布（６）からメス取付孔（３）を穿設した突片（２）が飛び出る構造になるのでそこに好みのフック（４）のついたチェーン（５）を取り付けて防犯やファッションウオレットチェーンつき財布として使用する。【０００７】また図に示すように取付孔をＤ型環（８）に変えて取り付けることもできる。
尚、ウオレットチェーンとは財布と着衣を繋ぐチェーンの事である。
【図面の簡単な説明】
【０００９】
【図１】  本発明の斜視図
【図２】  本発明の使用状態を示す斜視図
【図３】  本発明の他に実施例を示す斜視図
【符号の説明】
【００１０】        １  カード部材
２  突片
３  取付孔
４  フック
５  チェーン
６  財布
７  内ポケット
８  Ｄ型環
【図１】
2008279224.tif 000003
【図２】
2008279224.tif 000004
【図３】
2008279224.tif 000005
【図４】
2008279224.tif 000006
【手続補正書】
【提出日】平成19年7月25日(2007.7.25)
【手続補正１】
【補正対象書類名】明細書
【補正対象項目名】０００９
【補正方法】変更
【補正の内容】
【０００９】
【図１】  本発明の斜視図
【図２】  本発明の使用状態を示す斜視図
【図３】  形状の異なる財布に使う本発明の斜視図
【図４】  形状の異なる財布に使う本発明の使用状態を示す斜視図
(57)【要約】【課題】    苦い粉薬や不味い液状薬の苦みを軽減し、粉薬や液状薬を服用し易くする。【解決手段】  吸引用の管と吸液用の管とを備えたコップ蓋に薬を入れる小容器を装着し、この蓋がコップに接続できるようにしたことで、先に薬の入った小容器から吸引が始まり、すぐにコップ側に入れた水やジュースで流し込むため、苦みを感じる暇も無く、粉薬や液状薬を服用できる。【選択図】図１
2008279223.tif 000002
【特許請求の範囲】
【請求項１】
吸引用の管と吸液用の管とを備えたコップ蓋に薬を入れる小容器を装着し、この蓋がコップに接続できることを特徴とする粉薬、液状薬服用器
【発明の詳細な説明】
【技術分野】
【０００１】  本発明は、粉薬や液状薬を服用し易くする薬服用器に関するものである。
【背景技術】
【０００２】  従来、苦い粉薬や不味い液状薬を服用するときは、先に薬を口内に含んだ後、大量の水で流し込むのが一般的であった。【０００３】  しかし、特に幼児においては、苦みを感じたとたん薬を吐き出してしまい上手く飲めないという問題があった。【０００４】  そこで、甘いジュース等に溶かして飲ませたりするが、後味が悪いため途中で飲むのを止め、無理に飲ませても吐き出したりする。【０００５】  この改善策として、粉薬についてはオブラートやゼリーに包んで服用する方法が提案されているが、飲み込む大きさが大きかったり、薬を飲むたびに余計にお金がかかったりと問題があった。  また、これらの方法は液状薬には使えない。
【発明の開示】
【発明が解決しようとする課題】
【０００６】  苦い粉薬や不味い液状薬の苦みを軽減し、粉薬や液状薬を服用し易くする。
【課題を解決するための手段】
【０００７】  本発明は、吸引用の管と吸液用の管とを備えたコップ蓋に薬を入れる小容器を装着し、この蓋がコップに接続できることを特徴とする。
【発明の効果】
【０００８】  本発明の粉薬、液状薬服用器は、先に薬の入った小容器から吸引が始まり、すぐにコップ側に入れた水やジュースで流し込むため、苦みを感じる暇も無く、粉薬や液状薬を服用できる利点がある。
【発明を実施するための最良の形態】
【０００９】  薬の苦みを軽減する目的のため、薬容器とそれに続く水やジュースの配置を極力近づけ、１つのコップ内に構成した。
【実施例】
【００１０】  図１は、本発明の１実施例の側面断面図であって、１はコップ蓋、２は薬を投入する小容器、３はコップ、４は吸入管、５は吸液管、６は粉末薬を溶かした液または液状薬、７はジュース等の液体、８は空気取り込み口、９は透明キャップ、１０はパッキンである。【００１１】  コップ蓋１には吸引用の管４と吸液用の管５を備え、更に小容器２と透明キャップ９を装着可能である。  小容器２はパッキン１０＋ねじ込み式構造で吸引の際、小容器内に吸液管５以外から空気が入り込まないよう密閉構造になっている。  また、携帯性を高めるためにコップ蓋１とコップ３もねじ込み式かつパッキン１０で完全に密閉接続とすることが望ましいが、吸引した際にコップ内が負圧になって吸いが悪くならないように空気取り込み口８も備える。  この空気取り込み口８は回転構造で通気と密閉ができるようにした。  透明キャップ９で吸引管の汚れを防止することで携帯性を更に高めることができ、外出先での服用にも適する。
本発明品の使用方法は、以下の通りである。
▲１▼コップ３内にジュース等を注ぎ入れる。
▲２▼薬を投入する小容器２に粉薬を入れ、少量のジュース等を混ぜ液状にして（液状    薬はそのまま）コップ蓋１に水平を保ったまま装着する。
▲３▼コップ蓋１をコップ３に接続する。
▲４▼空気取り込み口８を通気側にして、吸入管４から一気に吸い込む。
薬が一瞬でのどに流れ込み、その後、甘いジュースのみで口中が満たされるため、苦みを感じることがほとんど無い。
【図面の簡単な説明】
【００１２】
【図１】  粉薬、液状薬簡易服用器の側面断面図
【符号の説明】
１・・・コップ蓋
２・・・薬を投入する小容器
３・・・コップ
４・・・吸入管
５・・・吸液管
６・・・粉末薬を溶かした液または液状薬
７・・・ジュース等の液体
８・・・空気取り込み口
９・・・透明キャップ
１０・・・パッキン
【図１】
2008279223.tif 000003
(57)【要約】      （修正有）【課題】箸は食事の時に使用する道具の一つで、装飾も絵画を描いたり、塗り物しか無かったが、箸に純金や１８金をはめ込み、日本の伝統的な食器文化の箸に美的価値、箸自体の価値をより高くする。【解決手段】箸の一部に文字や模様を彫り１、箸に彫った、同じ形状に加工した純金や１８金の文字や模様をはめ込み、箸に価値の高く美しい模様や文字を装飾する事により、従来の装飾美の箸とは全く異なる、美的且つ価値を高め、高貴な美術品としても、価値的にも極めて美しい食器とする。【選択図】図１
2008279221.tif 000002
【特許請求の範囲】
【請求項１】
純金や１８金の文字や模様をはめ込んだ箸。
【発明の詳細な説明】
【技術分野】
【０００１】この発明は、食事に、使用する箸に、文字や模様を書いたり、を塗る装飾方法は有ったが、箸に文字や模様を彫り、彫った中に文字や模様の形状に加工した純金や１８金自体を箸にはめ込み装飾し、日本の伝統的な食器文化の箸に大いなる美的、且つ大きな価値をもたらす画期的な発明である。
【背景技術】
【０００２】従来、食事に使用する箸は単なる食事の時の道具の一つで、装飾も文字や模様を書いたり、塗り物しか無かった。
【発明の開示】
【発明が解決しようとする課題】
【０００３】従来、箸は食事の時に使用する道具の一つで、装飾も絵画を描いたり、塗り物しか無かったが、箸自体に文字や模様を純金や１８金自体をはめ込み、価値の高い装飾を施す事により、日本の伝統有る食器文化の箸を、美的且つ価値を高め、高貴な美術品としても、価値的にも極めて美しく、価値のある食器とする。
【課題を解決するための手段】
【０００４】様々な木製や樹脂等の素材の箸に、文字や模様を彫り、箸に彫った同じ文字や模様に加工した純金や１８金を、箸の彫った部分に、はめ込む。
【発明の効果】
【０００５】従来、箸は日本の伝統的食器文化の一つであり、様々な銘木や素材に文字を書いたり塗り物等で装飾していたが、当発明により、純金や１８金という、価値の高く美しい模様や文字を、はめ込み装飾する事により、従来の装飾美の箸とは全く異なった日本の伝統の食器を、極めて美的と価値の高い食器となった優れた発明である。
【発明を実施する為の最良の形態】
【０００６】以下、本発明の実施例について説明する。
（イ）様々な素材の箸の一部に、文字や模様を彫る。（１）
（ロ）箸に彫った文字や模様と同じに加工した純金や１８金（２）を箸にはめ込む。（３）
【図面の簡単な説明】
【０００７】
【図１】箸の一部に模様を彫った図である。
【図２】箸に彫った模様と同じに加工した純金の部品である。
【図３】模様を彫った部分に純金をはめ込んだ図である。
【符号の説明】
【０００８】１  箸の一部に模様を彫った例である。
２  箸の一部に彫った箇所に同じ形状に加工した金をはめ込んだ例である。
３  箸の一部に彫った模様に、同じ形状に加工した純金や１８金をはめ込んだ図
【図１】
2008279221.tif 000003
【図２】
2008279221.tif 000004
【図３】
2008279221.tif 000005
(57)【要約】【課題】  ゴルフでボールをジャストミートすることは難しい。その原因をクラブにはクラブヘッドの重心とクラブ全体の重心があり、この２つの重心を上手くコントロールできないことにあると考える。【解決手段】  本発明はゴルフクラブのシャフトの手元付近とシャフトの先端にウエイトを装着したゴルフ練習器具である。前記手元付近のウエイトの軸線は、シャフトの軸線と交わるように装着される。前記ゴルフ練習器具で練習をすると正しいスイングが身に付き、ボールのミート率を上げることができる。【選択図】図１
2008279230.tif 000002
【特許請求の範囲】
【請求項１】
ゴルフクラブのシャフトの手元付近と、シャフトの先端にウエイトを装着したゴルフ練習器具。前記手元付近のウエイトは、前記手元付近のウエイトの軸線と、シャフトの軸線とが交わるように装着される。
【請求項２】
ゴルフクラブのシャフトの手元付近と、シャフトの先端にウエイトを装着したゴルフ練習器具の、前記手元付近のウエイトは、前記手元付近のウエイトの軸線と、シャフトの軸線とが交わるように装着されており、前記手元付近のウエイトと前記先端のウエイトは、脱着可能で、重さを変えて練習できることを特徴とした請求項１に記載のゴルフ練習器具。
【発明の詳細な説明】
【技術分野】
【０００１】    本発明はゴルフの練習器具に関するものである。
【背景技術】
【０００２】    ゴルフクラブは、シャフトの先端にクラブヘッドが取り付けられているが、クラブヘッドの重心はシャフトの中心軸から偏っている。また、クラブシャフトの中心よりクラブヘッド側に、クラブ全体の重心がある。つまり、ゴルフクラブには２つの重心がある。スイング中のゴルフクラブは、この２つの重心を中心に様々な動きをする。野球のバットには発生し得ない動きである。このようなゴルフクラブで最初から練習しても、正しいスイングは身につけにくい。【０００３】    なお、関連する先行技術文献として次のような文献がある。
【特許文献１】      特開２０００−５３５８
【発明の開示】
【発明が解決しようとする課題】
【０００４】    つまり、このゴルフクラブの２つの重心を上手にコントロールする技術を身に付けることがゴルフの上達を早めると考える。【０００５】    すなわち本発明は、ゴルフクラブの２つの重心に影響されないスイングを身に付け、簡単にゴルフが上達する練習器具を提供することを目的とする。
【課題を解決するための手段】
【０００６】    上記の目的を達成するため、ゴルフクラブのシャフトの手元付近とシャフトの先端にウエイトを装着したゴルフ練習器具を提供する。【０００７】    前記手元付近のウエイトの軸線は、シャフトの軸線と交わるように装着される。【０００８】    さらに、前記手元付近のウエイトと前記先端のウエイトは、脱着可能で、重さを変えて練習できるものもある。
【発明の効果】
【０００９】    本発明の前記練習器具で練習すると、クラブヘッドの重心とクラブ全体の重心を上手にコントロールできるようなスイングが身に付くため、短期間でゴルフが上達する。
【発明を実施するための最良の形態】
【００１０】    ゴルフクラブは、ヘッドがシャフトの先端にあるため極端に先端が重くなり、クラブ全体の重心はシャフトの先端付近にある。また、ヘッドの重心がシャフトの軸線上からずれたところにある。そのため、スイングが乱れ正しくボールを打てない。【００１１】    ゴルフはこの２つの点で難しいスポーツとなっている。【００１２】    ヘッドがシャフトの先端にあることの影響は、スイング中にヘッドの遠心力や慣性が強く働くため、手首が伸びてしまったり、逆に折れてしまったりすることで正しいスイングにならない。【００１３】    また、ヘッドの重心がシャフトの軸線上からずれたところにあることの影響は、スイング中にヘッドが遅れたり、返ったりすることでボールに対して直角に当てることが難しい。【００１４】    図１は本発明の第１実施例を示す。図１に示すようにシャフトの先端と手元付近にウエイトを装着する。【００１５】    前記手元付近に装着されたウエイトは、クラブヘッドと似たバランスを持っている。つまりクラブヘッドを手元付近に近づけることにより、スイング中に働くヘッドの重心の影響を感じる感覚が高まる。さらにシャフト全体の重心も手元付近に近づくため、遠心力や慣性の影響を受けにくく、正しいスイングを身につけやすい。【００１６】    図２は本発明の第２実施例を示す。図２に示すように前記手元付近に装着されたウエイトと前記先端のウエイトは脱着可能であるため、バランスを変えて練習できる。【００１７】    つまりクラブ全体の重心や、ヘッドの重心をコントロールする感覚を手元付近で感じられることと、その影響を受けることなくスイングを身につけられるため、これまで以上に正確に、しかも簡単にボールをジャストミートすることができる。以上が本発明の要旨である。
【図面の簡単な説明】
【００１８】
【図１】練習器具
【図２】脱着可能なウエイト
【符号の説明】
【００１９】    １シャフト
２手元付近のウエイト
３先端のウエイト
４グリップ
【図１】
2008279230.tif 000003
【図２】
2008279230.tif 000004
(57)【要約】【課題】  人体のあかすりに際して軽量で取り扱いやすく、あかすり効果が得られるとともに、マッサージを行うこともできるあかすり具を提供する。【解決手段】  図１に示すように、直径６ｍｍ前後の金属棒をＬ型にし、Ｌ型の短いほうの先端に木製の球体をつけ、あかすり部とする。Ｌ型の長い方に木製の持ち手をつける。あかすり部である球体には、着脱可能な表面が粗面化された織布で作られた巾着型の袋体をつけ、あかすり具とする。袋体をはずしマッサージ具としても使用できる。【選択図】図１
2008279218.tif 000002
【特許請求の範囲】
【請求項１】
直径６ｍｍ前後の金属棒をＬ型にし、短い方の先端に木製の球体をつけあかすり部とし、長い方の先端に木製の持ち手をつけたあかすり具。
【請求項２】
あかすり部である球体に、表面が粗面化された織布で作った巾着型の袋体をかぶせた請求項１のあかすり具。
【請求項３】
請求項２記載の巾着型の袋体は着脱可能とする請求項１のあかすり具。
【発明の詳細な説明】
【技術分野】
【０００１】  本発明は、着脱可能な巾着型の袋体を取り付けあかすりとして楽に使用し、はずすことによりマッサージも行えるあかすり具に関するものである。
【背景技術】
【０００２】  一般に浴室で身体を洗って垢落とし等する場合には、綿製タオルや合成繊維製タオルを用い、これで皮膚を直接こすることにより、あるいは石鹸を用いて洗うことによりなされる。【０００３】  更に、柄のついたボデイブラシや表面を粗面化した袋体状のあかすり具等が使われている。
【発明の開示】
【発明が解決しようとする課題】
【０００４】    しかしながら、上記の袋体状のあかすり具等では、手を直接背部にまわして洗うため腕に負担がかかる上、肩甲骨と背骨のくぼみに手が届かず、その部分の垢を落とすことが困難である。【０００５】  柄のついたボデイブラシやタオルを帯状に使用しても、力が充分に伝わらず満足な結果が得られない。【０００６】  この発明は、このような事情に鑑みなされたもので、充分にあかすり効果を得ることができ、しかもマッサージ具としても使用することができるあかすり具の提供をその目的とする。
【課題を解決するための手段】
【０００７】  背部に手を回す負担を軽減し、思い通りに使いたい箇所に届く形状は、図１に示すように、Ｌ型で角度を７５度から８０度とし、腕の力が直接伝わるのは金属棒が適し、球体ｂのついた短い方は先端から９５ｍｍ前後、もち手ｅのついた長い方は３８０ｍｍ前後が適した長さである。【０００８】  あかすり部を直径４５ｍｍの球体にすることにより適度な力が集中し、背中のくぼみに容易に密着することができる。【０００９】  前述のあかすり部である球体ｂに、着脱可能な巾着型の袋体ｅをとりつけ、あかすり具として使用する。巾着型の袋体ｅをはずすことによりマッサージ具としても使用できる。【００１０】  巾着型の袋体ｅの表面は垢を落としやすい粗面化した織布で袋体にし、上部に８個の穴ｆをあけ、その穴に紐ｇを通し容易に着脱可能にする。【００１１】  紐を使用することで中の球体に巾着型の袋体が密着し、動かず洗いやすい。
【発明の効果】
【００１２】  あかすり部が球体であることと、Ｌ型の角度を７５度から８０度にすることで、腕の力が集中し、背中のくぼみにも密着し容易に洗うことができる。球体ｂの先端から折点ｄまでが９５ｍｍ前後と、折点ｄから持ち手ｃの先端までが３８０ｍｍ前後の長さのＬ型の形状は、背部に容易に届き手の負担が少ない。年齢に関係なく使いやすい形状である。【００１３】  着脱可能な巾着型の袋体ｅは、容易に取り外し洗濯することができ衛生的である。
【発明を実施するための最良の形態】
【００１４】  図１に示すように、直径６ｍｍ前後の金属棒ａをＬ型にし、折点ｄはＬ型の角度を７５度から８０度とする。折点ｄから球体ｂの先端までは９５ｍｍ前後、折点ｄから持ち手ｃの先端までは３８０ｍｍ前後とする。握りやすくするためカーブをつけた長さ１１０ｍｍ前後の木製の持ち手ｃを取り付ける。上記金属棒ａはアルミニウムが軽量で扱いやすい。【００１５】  あかすり部である球体ｂは直径４５ｍｍ前後とし、着脱可能な巾着型の袋体ｅをとりつけ、あかすり具として使用する。【００１６】  図２に示すように、巾着型の袋体ｅの表面は垢を落としやすい粗面化した織布で、縦横９５ｍｍ前後とし、底は球体に密着するよう半円形とする。袋体の上部に８個の穴ｆをあけ、その穴に紐ｇを通し容易に着脱可能にする。紐ｇを使用することで中の球体ｂに巾着型の袋体ｅが密着し、動かず洗いやすい。【００１７】  巾着型の袋体ｅをはずし使用することによりマッサージ具としても使用できる。
【図面の簡単な説明】
【００１８】
【図１】本発明のあかすり具の側面図
【図２】図１のｂに取り付ける袋体の正面図
【符号の説明】
【００１９】    ａ  金属棒
ｂ  球体
ｃ  持ち手
ｄ  Ｌ型の折点
ｅ  巾着型の袋体
ｆ  穴
ｇ  紐
【図１】
2008279218.tif 000003
【図２】
2008279218.tif 000004
(57)【要約】【課題】  全身を鍛錬するローラーのような器具は一般人には無理があり安定性にもかけるため一般人でも可能にし、さらには数種類の鍛錬を増やすことができ、加えてストレッチ器具も単品ではあるものの一種類しかできないのが現状であるため、数種類のストレッチを可能にし鍛錬、ストレッチの総合化を可能にした手軽な器具を提供する。【解決手段】  安定性を持たせるため四輪とし、手足だけでなく背中も乗せることができるように面を大きくとりクッション性を持たせ、羽の部分には握りやすいグリップを設ける。【選択図】図１
2008279220.tif 000002
【特許請求の範囲】
【請求項１】
鍛錬とストレッチという目的を同時に使用できる器具であり、場所も取らずに持ち運びも気軽にできる利点がある。
四輪という安定した状態と大きな面でスライドすることが可能であるため、人体の大きな部分、小さな部分を問わず載せることができ多目的に使用できる。
両サイドの羽にあたる部分は握りやすいように全ての辺にグリップを形成、中央の出っ張った部分は足や背中を載せても痛くないようにクッション性を持たせる。
【発明の詳細な説明】
【技術分野】
【０００１】  この発明は、今まで鍛錬とストレッチにそれぞれ別々の器具を必要としたが、それを一つの器具で両方とも可能にし、さらには種目を増やすことも可能にしたものです。
【背景技術】
【０００２】  従来の作品はそれぞれが単独であり、使用方法も単一であるものが多いため道具も複数必要であった。安定感がないため難易度も高く一般向けでないものもあり、場所の確保にも問題があった。
【発明の開示】
【発明が解決しようとする課題】
【０００３】  これは次のような欠点があった。従来の殆どの道具は用途が単一であり、数種類の稽古には数種類の道具が必要であった。それでは複数の器具を置く場所の確保や稽古方法が限られてしまう。本発明は、以上のような欠点をなくすためになされたものである。
【課題を解決するための手段】
【０００４】  ストレッチと鍛錬の両方ができるようにスライドさせる車を四輪とし安定性を持たせ、足や背中などを載せることができるように面を大きく設けた。羽の部分には握りやすいようにグリップを設け、部位を載せる場所にはクッション性をもたせ、あらゆるストレッチ・鍛錬に対応できるようにする。場所の確保も一台で何役もでき、道具そのものもコンパクトに設計することにより解決する。
【発明の効果】
【０００５】  専門性の高い場所での使用の他、一般家庭での使用も容易になり多種多様なストレッチや鍛錬が一台で可能となるため、現代病の一つであるメタボリック症候群やダイエット等、原因となる運動不足を解消する。
【発明を実施するための最良の形態】
【０００６】以下、本発明を実施するための最良の形態について説明する。
正方形の本体の両サイドに本体より小さめの長方形を取り付けた形態をとる。実際は本体よりも幅の狭い一枚板の上に、より幅の広い正方形の本体をおいたもの。両サイドの長方形の羽の部分は主に手や足を載せる部分となるので全ての辺にグリップを形成する。本体となる正方形の部分は背中や足を載せるのが主であるためクッション性をもたせる。車輪は羽の部分を持ったときグラつきがないように、四隅に取り付ける。耐久性は左右の羽を通して金属で補強することにより解決する。
材料は強化プラスチック等。
本発明は、以上のような構造である。
これを使用するときは、取り付けてある簡単な説明書を参考に稽古していただければよい。
【図面の簡単な説明】
【０００７】
【図１】  本発明を上からみた平面図である。本体よりも幅の狭い一枚板の上に、より幅の広い正方形の本体をおいた形を形成したもの。両サイドの長方形の羽の部分は主に手や足を載せる部分となるので全ての辺にグリップ（握りやすい形状）を形成する。本体となる正方形の部分は背中や足を載せるのが主であるためクッション性をもたせる。
【図２】  本発明を下からみた平面図である。車輪は羽の部分を持ったときグラつきがないように、四隅に取り付ける。
【図３】  本発明を横からみた側面図である。車輪は安全性を考慮し３６０度回転するものではなく、直進のみするものを使用する。
【図４】  本発明を横からみた側面図である。耐久性を確保するために左右の羽を通して金属で補強する。
【符号の説明】
１、車輪をつける（一方方向にしか動かないもの）
２、足や背中を乗せても痛くないようにクッションをいれ、カバーをかける
３、耐久性を持たせるため金属を左右両サイドに通す
【図１】
2008279220.tif 000003
【図２】
2008279220.tif 000004
【図３】
2008279220.tif 000005
【図４】
2008279220.tif 000006
(57)【要約】【目的】火災時に消火液を放射して、周囲空気との間に窒息効果と冷却効果を有する噴射領域を作り出すようにした消火装置を用い、消火液（水を含む）と不活性ガス等とを放射して（気液混合物の放射を除く）、少ない消費量で噴射領域内を低酸素化し、かつ、人体への影響を考慮した消火環境を形成する。【解決手段】消火液を貯留して送給する送水装置１と、不活性ガス等を所定量貯留して送給するガスボンベ４と、それらに配管接続されたスプリンクラーその他の放射ヘッド３を備えた消火装置を用いた初期消火方法であり、火災発生時に、放射ヘッド３から消火液を放射して火元を包み込む状態の放射範囲６を形成するとともに、該放射範囲６内に不活性ガス等を放射供給してシールド噴射領域７を形成し、該噴射領域７中の雰囲気をを１０％酸素濃度に近づけることにより、周囲空気よりも低酸素濃度の局所的でシールド効果的な初期消火環境を形成する。【選択図】      図１
2008279270.tif 000002
【特許請求の範囲】
【請求項１】
火災時に消火液を放射して、周囲空気との間に少なくとも冷却効果を有する半紡錘状又はドーム状の噴射領域を作り出すようにした消火装置において、
消火液（水を含む）と、不活性ガスないしは不活性ガスと酸素の混合ガス又は低酸素濃度の空気〔以下、不活性ガス等。〕とを放射して（不活性ガスの圧力を利用して霧状の消火用水を作り出すもの又は水滴をスプレーする目的で使用するものを除く）、少ない消費量で噴射領域内を低酸素化し、かつ、人体への影響を考慮した初期消火方法であって、
前記消火液を貯留して送給する送水装置と、前記不活性ガス等を所定量貯留して送給するガスボンベと、それらに配管接続され火災発生を感知して開放動作するスプリンクラーその他の放射ヘッドを備え、
火災発生時に、前記放射ヘッドから前記消火液を放射して火元を包み込む状態の放射範囲を形成するとともに、該放射範囲内に前記不活性ガス等を放射供給してシールド噴射領域を形成し、該噴射領域中の雰囲気を１０％酸素濃度に近づけることにより、周囲空気よりも低酸素濃度の局所的でシールド効果的な初期消火環境を形成するようにしたことを特徴とする初期消火方法。
【発明の詳細な説明】
【技術分野】
【０００１】
本発明は、火災時に消火液を放射して、周囲空気との間に少なくとも冷却効果を有する半紡錘状又はドーム状の噴射領域を作り出すようにした消火装置を用いておこなう初期消火方法に係り、詳しくは、消火液（水を含む）と、不活性ガスないしは不活性ガスと酸素の混合ガス又は低酸素濃度の空気〔以下、不活性ガス等。〕とを放射して（不活性ガスの圧力を利用して霧状の消火用水を作り出すもの又は水滴をスプレーする目的で使用するものを除く）、少ない消費量で噴射領域内を低酸素化し、かつ、人体への影響を考慮した初期消火方法に関する。
【背景技術】
【０００２】
従来技術では、不活性ガスの圧力を利用して霧状の消火用水を作り出すものであり、又は水滴をスプレーする目的に使用されています。この事から同一個所へ不活性ガス及び消火用水を噴射するものであり、窒息効果を利用する為には密閉された空間が必要であり、又密閉された空間全体に見合うガス量が必要となる（例えば、特許文献１及び２を参照）。
【特許文献１】特開平８−１９６６５６号公報
【特許文献２】実用新案登録第３０１８３６３号公報
【発明の開示】
【発明が解決しようとする課題】
【０００３】
本発明が解決しようとする問題点は、人が生存出来る酸素濃度を確保しながら比較的大きな空間でも局所的に窒息効果と冷却効果による初期消火を可能とする点にある。
【課題を解決するための手段】
【０００４】
本発明は、火災時に消火液を放射して、周囲空気との間に少なくとも冷却効果を有する半紡錘状又はドーム状の噴射領域を作り出すようにした消火装置を用いて、消火ヘッドによる放射範囲をシールドする様に消火液を噴射して、その噴射領域中を低酸素濃度のガス又は空気で火元を包み込む状態とする事で局所的に窒息効果と冷却効果を有するシールド噴射領域（後述の初期消火環境に同じ）を作り出すものである。
【発明の効果】
【０００５】
本発明の初期消火方法によれば、密閉された空間以外での利用が可能となり使用用途が広がる。また、局所的に消火するため、ガス量及び消火液量が少なく出来るとともに、小型化が可能となり、建築物以外の乗り物等、他にも広く使用用途が考えられる。
【発明を実施するための最良の形態】
【０００６】
本発明を実施するための最良形態は、消火液（水を含む）と、不活性ガス等とを放射して（不活性ガスの圧力を利用して霧状の消火用水を作り出すもの又は水滴をスプレーする目的で使用するものを除く）、少ない消費量で噴射領域内を低酸素化し、かつ、人体への影響を考慮した初期消火方法であって、
前記消火液を貯留して送給する送水装置と、前記不活性ガス等を所定量貯留して送給するガスボンベと、それらに配管接続され火災発生を感知して開放動作するスプリンクラーその他の放射ヘッドを備え、
火災発生時に、前記放射ヘッドから前記消火液を放射して火元を包み込む状態の放射範囲を形成するとともに、該放射範囲内に前記不活性ガス等を放射供給してシールド噴射領域を形成し、該噴射領域中の雰囲気を１０％酸素濃度に近づけることにより、周囲空気よりも低酸素濃度の局所的でシールド効果的な初期消火環境を形成するようにしたものである。
【実施例】
【０００７】
以下、図１に基づいて説明する。
【０００８】
ポンプ式、高架水槽式、水道直圧式、ガス加圧式、他による送水装置１から送水用配管２より放射ヘッド３に消火液が供給される。及びガスボンベ４からガス供給管５より放射ヘッド３に不活性ガス、又は不活性ガスと酸素の混合ガス、又は低酸素濃度の空気が供給される。そこで、火災感知によって放射ヘッド３が開放動作となり送水装置１より消火液が放射され、同時にガスボンベ４よりガスが供給される事とする。この時放射されたガスをシールド噴射領域７に包み込む状態で消火液が消火液の放射範囲６を形成する。
【０００９】
放射に使用するガスが不活性ガスの場合は、放射ヘッド３より消火液の放射範囲６外の周囲室内空気を吸引混合する事により低酸素濃度の噴射領域を作り出す事とし、低酸素濃度の空気又は、不活性ガスと酸素の混合ガスを使用する場合は、周囲空気を吸引させない事により低酸素濃度のシールド噴射領域７を作り出すものである。よって、火災が発生した噴射領域（７）だけを低酸素濃度にする事により短時間で窒息効果と冷却効果による初期消火が可能となる。
【図面の簡単な説明】
【００１０】
【図１】本発明方法に用いる消火装置の系統図である。
【符号の説明】
【００１１】
１  送水装置
２  送水配管
３  放射ヘッド
４  ガスボンベ
５  ガス供給管
６  消火液の放射範囲
７  シールド噴射領域
【図１】
2008279270.tif 000003
(57)【要約】【課題】食感の良い大根おろしを短時間に作ることができる電動調理機を提供する。【解決手段】製品本体１に載置される容器３と、前記容器３内に回転自在に収納され、上面におろし刃８を有する回転カッター２とを備え、前記回転カッター２上に大根５を置き、前記回転カッター２を回転させることによりおろし調理をおこなう電動調理機において、前記大根５を前記回転カッター２の上面に押し付ける重し６を備えたもので、重し６により、大根５は、深く回転カッター２のおろし刃８で削られ、おろし金を用い手作業で作った大根おろしのように食感の良いおろし調理を実現することができ、更に、調理時間も短縮できる。【選択図】図１
2008279036.tif 000002
【特許請求の範囲】
【請求項１】
製品本体に載置される容器と、前記容器内に回転自在に収納され、上面におろし刃を有する回転カッターとを備え、前記回転カッター上に食材を置き、前記回転カッターを回転させることによりおろし調理をおこなう電動調理機において、前記食材を前記回転カッターの上面に押し付ける付勢手段を備えた電動調理機。
【発明の詳細な説明】
【技術分野】
【０００１】
本発明は、大根おろし等のおろし調理をおこなう電動調理機に関するもので、特に、おろし粗さの調節に関するものである。
【背景技術】
【０００２】
従来、この種の電動調理機として、図３に示すようなものがあった。図３は、従来の電動調理機の断面図である。
【０００３】
図３において、従来の電動調理機の本体１０は、電動機１１を内蔵し、その電動機１１で、ベルト１２を介して高速回転される略円盤状の回転カッター１３を備え、その回転カッター１３の上面には、多数のおろし刃１４が形成されており、回転カッター１３の上に、角切りした大根等の調理物１５を置き、回転カッター１３を回転させることにより大根おろしを作っていた（例えば、特許文献１参照）。
【特許文献１】特開平５−２２００５１号公報
【発明の開示】
【発明が解決しようとする課題】
【０００４】
しかしながら、上記従来の電動調理機の構成では、大根等の調理物１５を、回転カッター１３の上に置いてあるだけなのでおろし刃１４には、調理物１５の自重のみの力で押し付けられている状態である。したがって、できあがった大根おろしの粗さが細かすぎ、おろし金を用いて手作業でつくった大根おろしに比べ食感が劣るという課題を有していた。
【０００５】
本発明は、上記従来の課題を解決するもので、食感の良い大根おろし等のおろし調理ができる電動調理機を提供することを目的とする。
【課題を解決するための手段】
【０００６】
前記従来の課題を解決するために、本発明の電動調理機は、製品本体に載置される容器と、前記容器内に回転自在に収納され、上面におろし刃を有する回転カッターとを備え、前記回転カッター上に食材を置き、前記回転カッターを回転させることによりおろし調理をおこなう電動調理機において、前記食材を前記回転カッターの上面に押し付ける付勢手段を備えたもので、付勢手段により、大根等の食材は、深く回転カッターのおろし刃で削られ、おろし金を用い手作業で作った大根おろしのように食感の良いおろし調理を実現することができ、更に、調理時間も短縮できる。
【発明の効果】
【０００７】
本発明の電動調理機は、付勢手段により食材が深くおろし刃により削られるので、おろし金を用いて手作業で作った大根おろしのように食感の良いおろし調理が可能となる。また、深くおろし刃により削られるので調理時間を短縮させることができる。
【発明を実施するための最良の形態】
【０００８】
第１の発明は、製品本体に載置される容器と、前記容器内に回転自在に収納され、上面におろし刃を有する回転カッターとを備え、前記回転カッター上に食材を置き、前記回転カッターを回転させることによりおろし調理をおこなう電動調理機において、前記食材を前記回転カッターの上面に押し付ける付勢手段を備えたもので、付勢手段により、大根等の食材は、深く回転カッターのおろし刃で削られ、おろし金を用い手作業で作った大根おろしのように食感の良いおろし調理を実現することができ、更に、調理時間も短縮できる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における電動調理機の断面図、図２は、同電動調理機の回転カッターの斜視図である。
【００１１】
図１、図２において、本発明の電動調理機の製品本体１は、モータ４を内蔵すると共に、上面に多数のおろし刃８を有する回転カッター２を回転自在に収納した容器３が載置されている。回転カッター２は、ベルト９を介してモータ４により回転する。
【００１２】
６は、回転カッター２の上に置かれた食材である大根５を、回転カッター２のおろし刃８に押し付ける付勢手段となる重しである。７は、容器３の上方開口を覆う蓋である。
【００１３】
以上のように構成された本実施の形態における電動調理機で大根おろしを作る際の動作、作用は、以下の通りである。
【００１４】
最初に、容器３内に収納された回転カッター２の上に、角切りした大根５を載せ、その上に、重し６を載せ、蓋７で、容器３の上部開口を覆う。そして、図示しないスイッチを操作して、モータ４を運転すると、回転カッター２の回転により、大根５が削られ大根おろしができる。その際、大根５は、重し６によりおろし刃８に深く圧接されるので、大根５は粗く削られる。これによりおろし金を用い手作業で作った大根おろしのように食感が良く美味しい大根おろしを作ることができる。また、粗く削るので調理時間を短くすることができる。
【産業上の利用可能性】
【００１５】
以上のように、本発明にかかる電動調理機は、食感の良い美味しい大根おろしを短時間で作ることができるもので、家庭用、業務用の各種電動調理機に適用できる。
【図面の簡単な説明】
【００１６】
【図１】本発明の実施の形態１における電動調理機の断面図
【図２】同電動調理機の回転カッターの斜視図
【図３】従来の電動調理機の断面図
【符号の説明】
【００１７】
１  製品本体
２  回転カッター
３  容器
５  大根（食材）
６  重し（付勢手段）
８  おろし刃
【図１】
2008279036.tif 000003
【図２】
2008279036.tif 000004
【図３】
2008279036.tif 000005
(57)【要約】【課題】旅行かばんのハンドルから手を離したとき、ハンドルが急激に倒れて不愉快な衝撃音を発するのを防止する。【解決手段】図はハンドルの取付構造３０をハンドルとバネとを分解して示した斜視図であって、一方の取付軸３３には抑制用バネ４０がそのコイル部４１を軸に巻き付けることによって装着されている。４２は固定部である。他方の軸３４には復帰用バネ５０が、その先端部５１を軸のスリット３５に挿し込むことによって装着されている。ハンドルを持ち上げるときは、復帰用バネ５０はしなり、抑制用バネ４０はゆるむが、手を離すと、復帰用バネはゆるんでハンドルを元の位置に戻そうとするが、抑制用バネ５０がしまって、急激な回動を阻止する。【選択図】図２
2008279122.tif 000002
【特許請求の範囲】
【請求項１】
旅行かばん用のハンドル取付装置において、左右の取付軸の内、一方の取付軸にはハンドルをかばん上に倒れた位置に復帰させる復帰用バネが装着され、
反対側の取付軸にはハンドルの急激な回動を抑制する抑制用バネが装着されていることを特徴とする旅行かばん用のハンドル取付装置。
【請求項２】
前記の抑制用バネと取付軸とは、点接触するように形成されていることを特徴とする請求項１記載の旅行かばん用のハンドル取付装置。
【発明の詳細な説明】
【技術分野】
【０００１】
この発明は旅行かばんに使用されるハンドル取付装置に関する。
【背景技術】
【０００２】
図１は日常使用されている旅行かばん１０の正面図であって、２１は上蓋、２２はハンドル取付構造３０が設けられている下部本体であって、取付部３１によってハンドル３２が取付られている。かばんの所持者がハンドルから手を離したとき、かばん上に倒れた位置に復帰させるための復帰用バネが一方の取付軸に取り付けられている。
【特許文献１】特許公報  特許第３８０３８４２号
【特許文献２】特許公開公報  特開２０００−３０７２６２
【発明の開示】
【発明が解決しようとする課題】
【０００３】
旅行かばんの所持者がハンドルから手を離すと、ハンドルは急速にかばんに向けて倒れ、不愉快な衝撃音を発することがある。それで、ハンドルの倒れる速度を抑制する必要が生じた。
【課題を解決するための手段】
【０００４】
この発明は前記の課題を解決するために、「旅行かばん用のハンドル取付装置において、左右の取付軸の内、一方の取付軸にはハンドルをかばん上に倒れた位置に復帰させる復帰用バネが装着され、
反対側の取付軸にはハンドルの急激な回動を抑制する抑制用バネが装着されていることを特徴とする旅行かばん用のハンドル取付装置。」を得たものである。
【発明の効果】
【０００５】
ハンドルの復帰のための回動を抑制することにより、不愉快な衝撃音の発生を防止できる。
【発明を実施するための最良の形態】
【０００６】
抑制用バネを取付軸に装着する際に、バネのコイル部を長円形に巻くとか、又は取付軸を三角形、四角形等の多角形とするなどして、軸とバネとが点接触するようにすることにより、抑制力を調節することができる。
【実施例】
【０００７】
図２はこの発明のハンドル取付構造を示す分解斜視図であって、ハンドル３２の一方の取付軸３３とは抑制用バネ４０が組み合わされ、他方の取付軸３４とは復帰用バネ５０が組み合わされていることが示されている。取付軸３４のスリット３５にはバネ５０の先端部分５１が挿し込まれる。
【０００８】
図３はバネ５０の先端部分５１がスリット３５に挿し込まれた状態を示している。
図４は復帰用バネ４０がコイル部４１で取付軸３３に巻き付いて装着されている状態を示している。
【０００９】
図５は取付軸３３、３４に夫々バネ４０、５０が装着されている状態をハンドルの全体図によって示している。
なお、バネのコイル部を長円形にするとか、取付軸を三角形、四角形などの多角形として、バネと軸とが点接触するようにすれば抑制力の調節を行うことができる。
【００１０】
図６はハンドル取付構造を納めた筐体６０を示している。筐体６０は図１の取付部３１のところで旅行かばんの下部本体２２に固定されている。取付軸３３に装着された抑制用バネ４０はその固定部４２において器枠６１で支えられて、ハンドルを持ち上げるときはゆるむが、ハンドルが倒れるときは、バネがしまって、急な回動を抑制する。取付軸３４に装着された復帰用バネ５０は器枠６２に支えられていて、ハンドルを持ち上げるときは閉まるが、ハンドルを離すと、元の位置に向かって回動させるように作用する。
【産業上の利用可能性】
【００１１】
この発明により、ハンドルから手を離したときに発する不愉快な衝撃音の防止を、極めて簡単な手段により、コストや手間を殆ど増加させずに実現できる。
【図面の簡単な説明】
【００１２】
【図１】旅行かばんの正面図
【図２】ハンドルの取付構造を示す分解斜視図
【図３】復帰用バネの装着状体を示す図
【図４】抑制用バネの装着状体を示す図
【図５】ハンドルの全体構成を示す図
【図６】ハンドル取付構造を納めた筐体を示す図
【符号の説明】
【００１３】
１０  旅行かばん
２１  上蓋
２２  下部本体
３０  ハンドル取付構造
３１  ハンドル取付部
３２  ハンドル
３３  抑制用バネを装着する軸
３４  復帰用バネを装着する軸
３５  軸に設けたスリット
４０  抑制用バネ
４１  コイル部
４２  固定部
５０  復帰用バネ
５１  先端部
６０  筐体
６１  器枠
６２  器枠
【図１】
2008279122.tif 000003
【図２】
2008279122.tif 000004
【図３】
2008279122.tif 000005
【図４】
2008279122.tif 000006
【図５】
2008279122.tif 000007
【図６】
2008279122.tif 000008
(57)【要約】【課題】近年マイクロソルダングが要望されてきており、レーザ半田付け等による、自動半田付けが採用さる場合が多くなった。糸半田溝入れ加工供給装置がマイクロソルダリングに合わせ、糸半田付け箇所に、より接近した装置の取り付け等を行うため、小型化と糸半田の供給制御における高精度が必要とされる。また従来の自動糸半田付けにあっても、糸半田供給装置の小型化は生産設備の効率からも必要となる。【解決手段】本発明は、溝入れ円形刃が駆動軸と直接締結出来、軸受けに組み込めるよう、一体化した、また弾性ファスナー、弾性クランプを使用し小型化と同時に精度向を図る。【選択図】図３
2008279492.tif 000002
【特許請求の範囲】
【請求項１】
糸半田溝入れ加工供給装置にあって、溝入れ円形刃を回転駆動させるための駆動軸を該円形刃の内径と舐めあい結合が出来、該円形刃のボス部の外周部で軸受け舐めあいが出来る、駆動軸直結円形刃。
【請求項２】
請求項１の駆動軸直結円形刃の内径と該駆動軸外周部の間に、弾性体摩擦クランプを組み込み、締結する。
【請求項３】
請求項１の駆動軸直結円形刃の高さを弾性ファスナーで固定する。
【発明の詳細な説明】
【技術分野】
【０００１】
本発明は、糸半田溝入れ加工供給装置に関する。 
【背景技術】
【０００２】
従来の糸半田溝入れ加工供給装置では、溝入れ加工円形刃を回転駆動する時、該円形刃の高さ調整を容易にする目的で、弾性体スペーサを取り付けるための、該円形刃取り付け軸を駆動モータ出力軸に嵌め合い結合し、該取り付け軸外周部で軸受け嵌め合いをおこなわせている。
【特許文献１】特願平１１−３３２３１０号公報
【特許文献２】特願２００６−１４３３５１号公報
【特許文献３】特願２００６−３５７１７８号公報
【特許文献４】意匠登録第１２７７８８７号公報
【特許文献５】特願２００７−１０７０２７号公報
【特許文献６】特願２００７−１１８４５６号公報
【特許文献７】特願２００７−１２２２６４号公報
【発明の開示】
【発明が解決しようとする課題】
【０００３】
細径糸半田を使用したレーザ半田付け等による、マイクロソルダリングを行う時、糸半田溝入れ加工供給装置を使用する場合は、該供給装置の小型化と溝入れ加工、送り量、送り速度等の精度が要求される。
【課題を解決するための手段】
【０００４】
本発明は、該円形刃のボス部外周で軸受けと嵌め合わせ、該円形刃内径と駆動軸を嵌め合わせる。
【０００５】
該円形刃外周軸受け部と軸受けの内輪との嵌め合せに於ける、スラスト隙間を取り、且つ、刃の高さを固定する為の弾性ファスナーによる締結を行う。
【０００６】
該円形刃に駆動軸の回転力を伝えるために、セットネジ、摩擦クランプ等を使用して該駆動軸と締結する。
【発明の効果】
【０００７】
該円形刃取り付け軸と弾性体スペーサを省くことで、小型化が図れ、嵌め合い箇所が削減され、嵌め合いに関する、組み立て精度を向上させることが出来る。また、部品点数の削減で部品精度、組み立て管理の負担を軽減する。
【発明を実施するための最良の形態】
【０００８】
駆動軸直結溝入れ円形刃を組み込み、弾性ファスナーで該円形刃高さを固定し、駆動軸と弾性体摩擦クランプ締結をする。
【実施例１】
【０００９】
図２の３の円形刃を１２のモータからの出力軸である、１３の駆動軸に取りつけ６のセットねじで締結する、また１４の弾性ファスナーで、９の軸受けと３の円形刃とのスラスト隙間を取り除いて円形刃高さを固定した。
【実施例２】
【００１０】
図３の１５のエラストマー材等による１５の弾性クランプを１３の駆動軸外周部と３の該円形刃内径部の間に取りつけ、１６の押し込みねじで１５の弾性クランプを撓ませて摩擦力を発生させ、１３の駆動軸と３の円形刃のクランプ締結をした。
【００１１】
図１は特願平１１−３３２３１０号公報の実施例に基づき製作されているもので、マイクロソルダリングや自動半田付け用においては、本発明が小型化、組み立て精度、管理に関して該公報より、有利であることを説明する為に著す。２の分離型溝入れ円形刃で該円形刃の高さを調整しやすくするため、７の弾性スペーサを５の該円形刃取り付け軸に組み込んである、１２のモータ出力軸である、１３の駆動軸に５の該取り付け軸を嵌め合わせ、更に、９の軸受けに嵌め合わせる、１０の止め輪と８の高さ調整ねじで２の円形刃高さを固定し、６のセットねじで駆動締結をしている。
【図面の簡単な説明】
【００１２】
【図１】特願平１１−３３２３１０号公報の実施例に基づく、糸半田溝入れ加工供給装置の断面を表す説明図。
【図２】実施例１を示す断面図である
【図３】実施例２を示す断面図である
【符号の説明】
【００１３】
１    糸半田
２    分離型溝入れ円形刃
３    直結溝入れ円形刃
４    ガイドローラ
５    円形刃取り付け軸
６    セットねじ
７    弾性スペーサ
８    高さ調整ねじ
９    軸受け
１０  止め輪
１１  ベース
１２  モータ
１３  駆動軸
１４  弾性ファスナー
１５  弾性クランプ
１６  押し込みねじ
【図１】
2008279492.tif 000003
【図２】
2008279492.tif 000004
【図３】
2008279492.tif 000005